Podtech/llm-jp-corpus-v4-ja_patent huggingface dataset:
(57)【要約】【課題】  温度差や臭いに変化があった時に即時扇風機の速度を変化させて自動的に環境を整えることが可能な感知及び調整機能付扇風機を提供する。【解決手段】  感知器１、制御チップ２、発光制御ユニット３、感光センサー４及び電源出力制御ユニット５を含む。そのうち感知器１と制御チップ２は連接しており、また別に制御チップ２と発光制御ユニット３が連接している。発光制御ユニット３は発光体３１を含み、その発光体３１は感光センサー４と対応する。その感光センサー４と電源出力制御ユニット５は連接し、電源出力ユニット５には電源５１が含まれる。温度に変化があった時、扇風機の回転速度を変化させ(温度上昇時は回転速度を高め、温度が下がった時には回転速度を落とす)、また異臭を感知した時(タバコの煙や臭い)、扇風機の回転速度を上げ、(異臭が消えたら回転速度を落とす)、環境を自動的に調整する。【選択図】    図１
0003105715.tif 000002
【実用新案登録請求の範囲】
【請求項１】
感知器、制御チップ、発光制御ユニット、感光センサー及び電源出力制御ユニットから構成された感知及び調整機能付扇風機であって、
感知器と制御チップが連接し、別に制御チップと発光制御ユニットが連接し、発光制御ユニットは発光体を含み、発光体は感光センサーに対応し、感光センサーと電源出力制御ユニットが連接し、電源出力制御ユニットは電源を含むものであり、感知器が感知して制御チップに信号を出力し、制御チップが発光制御ユニットの発光体を光らせ、感光センサーが感知した光の量を電源出力制御ユニットに信号で送り、電源からの出力を変化させることにより回転速度が調整されることを特徴とする感知及び調整機能付扇風機。
【請求項２】
前記感知器は、温度センサーであることを特徴とする請求項１記載の感知及び調整機能付扇風機。
【請求項３】
前記感知器は、臭いセンサーであることを特徴とする請求項１記載の感知及び調整機能付扇風機。
【考案の詳細な説明】
【技術分野】
【０００１】
本考案は、感知及び調整機能付扇風機に関するもので、温度差や臭いに変化があった時に即時扇風機の速度を変化させて自動的に環境を整えるものに関する。
【背景技術】
【０００２】
公知の扇風機は、異なる回転速度に変化させるスイッチが設置されている。
【考案の開示】
【考案が解決しようとする課題】
【０００３】
しかしながら、この回転速度を変化させるスイッチは、使用者が自らリモコンなどを押して回転速度を変化させているに過ぎない。事実、環境の温度や臭い(例としてタバコの煙やにおい)は、常時変化している。
【０００４】
解決しようとする問題点は、使用者が不快を感じ、扇風機の回転速度を変化させる時、既に温度は暑すぎていたり、寒すぎていたり、若しくは臭いが充満していたりするもので、その時に扇風機の回転速度を変化させても遅すぎる点である。
【０００５】
したがって本考案の目的は、温度差や臭いに変化があった時に即時扇風機の速度を変化させて自動的に環境を整えることが可能な感知及び調整機能付扇風機を提供することにある。
【課題を解決するための手段】
【０００６】
上述の目的を達成するために本考案の請求項に記載の感知及び調整機能付扇風機は、感知器、制御チップ、発光制御ユニット、感光センサー及び電源出力制御ユニットから構成される。そのうち、感知器と制御チップが連接し、また別に制御チップと発光制御ユニットが連接する。発光制御ユニットは発光体を含み、発光体は感光センサーに対応し、感光センサーと電源出力制御ユニットが連接し、電源出力制御ユニットは電源を含む。感知器が感知して制御チップに信号を出力し、制御チップが発光制御ユニットの発光体を光らせ、感光センサーが感知した光の量を電源出力制御ユニットに信号で送り、電源がその出力を変化させて回転速度を調整することを最も主要な特徴とする。
【０００７】
本考案の感知及び調整機能付扇風機は、温度に変化があった時、扇風機の回転速度を変化させ(温度上昇時は回転速度を高め、温度が下がった時には回転速度を落とす)、また異臭を感知した時(タバコの煙や臭い)、扇風機の回転速度を上げ、(異臭が消えたら回転速度を落とす)、環境を自動的に調整するという利点がある。
【考案を実施するための最良の形態】
【０００８】
以下、本考案の実施例を図面に基づいて説明する。
図１に示すように本考案の第一実施例による感知及び調整機能付扇風機は、感知器１、制御チップ２、発光制御ユニット３、感光センサー４及び電源出力制御ユニット５を含む。そのうち感知器１と制御チップ２は連接しており、また別に制御チップ２と発光制御ユニット３が連接している。発光制御ユニット３は発光体３１を含み、その発光体３１は感光センサー４と対応する。その感光センサー４と電源出力制御ユニット５は連接し、電源出力ユニット５には電源５１が含まれる。
【０００９】
図２に示すように、本考案の第一実施例では、感知器１は温度センサー１Ａで、温度センサー１Ａが感知して制御チップ２に信号を送る。制御チップ２が発光ユニット３の発光体３１を光らせ、感光センサー４が感知した光の量を電源出力制御ユニット５に信号で送り、電源５１がその出力を変化させ、扇風機の回転速度を調整する。制御チップ２は別にスイッチユニット２１とディスプレイユニット２２に連接され、使用者の操作によって制御信号を送る。
【００１０】
図３に示すように本考案の第二実施例による感知及び調整機能付扇風機は、感知器１は臭いセンサー１Ｂで、臭いセンサー１Ｂが制御チップ２に信号を出力し、制御チップ２によって発光制御ユニット３の発光体３１が発光し、感光センサー４が感知した光の量を電源出力ユニット５に信号で送り、電源５１の出力を変化させ、回転速度を調整する。制御チップ２はスイッチユニット２１とディスプレイユニット２２にも連接しているので、使用者の操作によって制御することも可能である。
【図面の簡単な説明】
【００１１】
【図１】本考案の第一実施例による感知及び調整機能付扇風機の工程流れ図である。
【図２】本考案の第一実施例による感知及び調整機能付扇風機の電気回路図である。
【図３】本考案の第二実施例による感知及び調整機能付扇風機の電気回路図である。
【符号の説明】
【００１２】
１  感知器、１Ａ  温度センサー、１Ｂ  臭いセンサー、２  制御チップ、３  発光制御ユニット、４  感光センサー、５  電源出力制御ユニット、２１  スイッチユニット、２２  ディスプレイユニット、３１  発光体、５１  電源
【図１】
0003105715.tif 000003
【図２】
0003105715.tif 000004
【図３】
0003105715.tif 000005
(57)【要約】      （修正有）【課題】折れ曲がりにくく、強度、耐久性があり、結露がなく保温効果が大きい。【解決手段】波板トタン１と波板トタン２を重ね合わせて、スポット溶接３で何箇所か接着させ、二重構造をもった二枚重ね波板トタンにした。一枚の波板トタン葺きと比較して強度が３倍以上に達しており、足の踏み場を選ぶことなく安心して歩ける。二重構造なので二枚の波板トタンの間に空気の薄い層ができ、トタンの表面温度が下がりにくく、ほとんど結露の心配はない。保温に対する効果も、一枚の場合と比較してとても高く、耐久性も二枚重ね波板トタンは申し分けない。【選択図】図１
0003105758.tif 000002
【実用新案登録請求の範囲】
【請求項１】
波板トタン（１）と波板トタン（２）を重ね合わせ、スポット溶接（３）で何箇所か接着して二重構造にし、資材としての波板トタンのもつ価値を高めた二枚重ね波板トタン。
【考案の詳細な説明】
【考案の詳細な説明】
【技術分野】
【０００１】  本考案は、土木並びに建築の資材に関わる分野に属するものであり、詳しくは二枚の波板トタンを重ねて接着し、波板を二重構造にするという技術に関するものである。【０００２】  本考案は波板トタンの技術に関するものであるが、最近は素材が塩ビやポリカーボネイトやアクリルといった合成樹脂の波板も出てきており、それらは素材によってそれぞれの波板としての特性や働きにはやや違いはあるが、仮に素材が異なっても二枚の波板を重ね合わせて接着し、波板を二重構造にしていくという技術の応用は可能と言える。
【背景技術】
【０００３】  土木工事の資材や建築工事の資材としての波板トタンは重要な位置を占めており、どこの現場にいっても必ず使われているといった状況である。また私たちの身の回りを見てもすぐに目に飛び込んでくる資材であり、私たちの実生活に大きく結びついた資材といえる。【０００４】  この様に私たちに身近な資材である波板トタンは「比較的安く手に入る。加工し易い。利用範囲がとても広い。」等々、大きな利点をもっており、また最近では消費者のニーズに応えてカラー化や素材の多様化も進んできている。【０００５】  しかしながら、波板トタンも実際に使ってみると、資材として従来の技術では解決されていないいくつかの問題点が浮かび上がってくる。【０００６】  そこで、波板トタンのいちばん一般的な利用法である、簡単な小屋のトタン葺き屋根を例にとって、資材としての問題点を挙げてみると、まず最初に挙げられるのは折れ曲がり易いという点である。
実生活を送っていると屋根に乗り降りするために軒先に梯子を掛けたり、またときには長い物を立て掛けたりする必要が出てくるものだが、そうしていると軒先のその部分が折れ曲がったり、跳ね上がったりしてとても見た目が悪くなる。これは波板トタンに顕著に見られる致命的と言っていい欠点である。このことは冬期間に積もった雪がいったん凍って、その後かたまりとなって融け落ちる際にも生じることが多い。【０００７】  次に問題と思われる点は、波板トタン葺きの屋根の上に乗ったとき、身体の重さで波板トタンがしずみ、足が抜け落ちるのではないかという不安感におそわれることである。はたして歩けるだけの強度があるのか考えながら、足の踏む位置を選んで歩く時の不安感は嫌なものである。【０００８】  さらに冬期間の結露現象も問題点として挙げられる。冷え込みにより波板トタンの表面温度が下がった時に起こる現象であるが、寒冷地では特に大きな問題として挙げられる。
他にも波板トタンの耐久性や保温効果等々にも、問題点を見つけることができる。
【考案が解決しようとする課題】
【０００９】  そこで、この様な波板トタンのもつ問題点を解決させ、資材としての波板トタンの価値を高める方法はないものか。と考え本考案の課題とした。
【課題を解決するための手段】
【００１０】  本考案は従来の技術の有する問題点の解決に向かってなされるものであり、その課題とするところは、波板トタンを屋根材に用いたとき軒先が折れ曲がり易い等々、先に記した様な波板トタンのもつ問題点を解決し、資材としての波板トタンの価値を高めるところにある。
そこで、その目的を達成するための方法として、合同な二枚の波板トタン１と波板トタン２を重ね合わせて、スポット溶接３（一点部分だけの溶接）で何箇所か接着させて、二重構造をもった二枚重ね波板トタン（このあとからは二重構造をもった二枚重ね波板トタンのことを、省略して二枚重ね波板トタンとする。）にすれば課題解決の方向に向かうのではないかと考えた。
【考案の効果】
【００１１】  そこで、試作した本考案の二枚重ね波板トタンを実際に使って、考案の効果を調べ考察してみた。
まず最初の問題点である屋根葺きに用いた場合、軒先が折れ曲がったり跳ね上がってしまい見た目に良くないという点は、一枚の波板トタン（厚さ０．１９ｍｍ）と二枚重ね波板トタンを用いて、軒先に掛る力と折れ曲がりの実験をした結果、二枚重ね波板トタンにした場合は一枚の場合の３倍以上に強度が増しておりこの問題はクリァできることが分かった。ただし、ただ単に二枚の波板トタンを釘止めしただけでスポット溶接３による接着をしなかった場合は、満足できる結果にまでは至らないことも分かった。
【００１２】  次に波板トタン一枚で葺いた屋根の上を歩く場合の不安感の問題であるが、二枚重ね波板トタンで葺いた場合は、一枚の波板トタン葺きと比較して強度が３倍以上に達しており、足の踏み場を選ぶことなく安心して歩けることが分かった。
また、豪雪地帯では厚さ０．２５ｍｍの波板トタンで屋根を葺くのが一般的だが、この様な場合でも二枚重ね波板トタンを使うことの方が、その強度からしてより安全であると言えることも分かった。
【００１３】  また、結露現象も二重構造なので二枚の波板トタンの間に空気の薄い層ができるのでトタンの表面温度が下がりにくく、ほとんど結露の心配はない。
さらに、保温に対する効果も、一枚の場合と比較してとても高いことが分かった。なお当然のことながら耐久性も二枚重ね波板トタンの優位は動かなかった。
【００１４】  その上、有り難い事に屋根を葺いた跡が一枚トタンと比べものにならないくらい重厚に仕上がるし、必要な部分だけに限って二枚重ね波板トタンを使っても一枚波板トタンとの間に違和感がない事なども考案の効果に加えられた。
以上のように本考案はたった二枚の波板トタンを重ねて接着しただけの簡単なものであるが、資材としての波板トタンのもつ価値は驚くほど大きくなることが分かった。
【図面の簡単な説明】
【図１】  本考案の見取り図である。
【符号の説明】
１  波板トタン１
２  波板トタン２
３  スポット溶接
【図１】
0003105758.tif 000003
(57)【要約】【課題】  輪切りなどのレモンからレモ汁を絞るための器具を提供する。【解決手段】  小さな突起を表面全面に着けた合成樹脂材などによるレモン絞り器具本体を、突起のある表面が内面になるよう二つ折りにして作られたことを特徴とするレモン絞り器具。【選択図】図１
0003105757.tif 000002
【実用新案登録請求の範囲】
【請求項１】
小さな突起を表面全面に着けた合成樹脂材などによるレモン絞り器具本体を、突起のある表面が内面になるよう二つ折りにしたことを特徴とするレモン絞り器具。
【考案の詳細な説明】
【技術分野】
【０００１】  本考案は、輪切りなどにしたレモンから汁を絞るためのレモン絞り器具に関するものである。
【背景技術】
【０００２】  従来、レモン茶に入れるレモン汁は、多くがお茶に添えられた輪切りのレモンを素手で摘んで汁を絞るのが一般的であった。そのために、その汁を絞るために安価で簡単な器具の出現が求められていた。
【考案の開示】
【考案が解決しようとする課題】
【０００３】  そのために次のような問題点があった。
▲１▼  輪切りなどしたレモンから汁を簡単に絞る器具は見当たらなかった。
▲２▼  素手で摘んで絞ると、手を汚すし、衛生的にも問題があった。
本考案は、以上の問題点を解決するためになされたものである。
【課題を解決するための手段】
【０００４】  小さな突起を表面全面に着けた合成樹脂材などによるレモン絞り器具本体を、突起のある表面が内面になるよう二つ折りにして作られたことを特徴とするレモン絞り器具である。
【考案の効果】
【０００５】  ▲１▼  素手で直接レモンを摘まないので手を汚すことがないし、衛生的である。
▲２▼  構造が簡単なので、安価である。
▲３▼  素手で摘んで絞るより効果的に汁を絞れる。
▲４▼  本体器具の外部に図柄や文字なども印刷等ができる。
【考案を実施するための最良の形態】
【０００６】  以下、本考案の実施の形態を説明する。
▲１▼  合成樹脂材などによるレモン絞り器具本体（１）の表面全体に、小さな突起（２）を設ける。
▲２▼  本体（１）を二つ折りにするために、折り曲げのための溝（３）を設ける。
本案は、以上のような構造でこれを使用するときは、折り曲げのための溝（３）で、本体（１）を突起（２）のある表面が内面になるよう二つ折りにして、その二つ折りにした間に輪切りなどにしたレモンを挟み、手で挟んで押さえてレモンの汁を絞る。
【実施例】
【０００７】  図１に示した形態の例だけではなく、例えばハート形にするとか、子ども用にアニメキャラクターなどの形などにしたり、図柄や文字などを外面に印刷して、楽しめるものにすることもできる。
【図面の簡単な説明】
【０００８】
【図１】  本考案の展開図である。
【図２】  本考案の二つ折りした図である。
【図３】  本考案の使用図である。
【符号の説明】
【０００９】  １  レモン絞り器具本体
２  突起
３  折り曲げ溝
４  レモン
【図１】
0003105757.tif 000003
【図２】
0003105757.tif 000004
【図３】
0003105757.tif 000005
(57)【要約】【課題】  クレーンゲーム機のアームにより握持させることが困難な形状の景品についても、景品の獲得を容易なものとする景品の引掛補助具を提供する。【解決手段】  景品の引掛補助具１は、上方においてアーチを形成するように、景品２の封入された透明のビニル樹脂製の包装体３に取付けられている。引掛補助具１は、例えば、ビニル樹脂等の樹脂材を、景品２の大きさ又はクレーンゲーム機のアームの大きさに合わせて、所定幅の環状又は帯状に形成したもので構成される。この引掛補助具１としては、景品２の封入されていない包装体３の一部を切取って利用することとしてもよい。引掛補助具１の取付け方法としては、例えば、包装体３の長手方向の中央位置付近において、包装体３の外周を略一周するように配置した後、図１（ｂ）に示すように、下面側３Ａに対し、環状の引掛補助具１Ａの一部又は帯状の引掛補助具１Ｂの両端部を粘着テープ４で固定する。【選択図】      図１
0003105703.tif 000002
【実用新案登録請求の範囲】
【請求項１】
アームにより景品を握持するクレーンゲーム機に用いられる景品の引掛補助具であって、
所定幅の環状又は帯状に形成された部材を、前記景品又は景品の包装体の上方でアーチを形成するように取付けて成る景品の引掛補助具。
【請求項２】
前記所定幅の環状又は帯状の部材は、前記景品又は景品包装体の周囲を覆い且つ下面側で景品等に取り付けてその上方にアーチを形成して成る請求項１に記載の景品の引掛補助具。
【考案の詳細な説明】
【技術分野】
【０００１】
本考案は、株式会社セガ・エンタープライゼスのＵＦＯキャッチャー（同社の登録商標）に代表されるクレーンゲーム機等の遊戯用器具に用いられる景品の引掛補助具に関する。
【背景技術】
【０００２】
従来より、収納容器内に陳列された景品を、ユーザのアーム操作により握持して所定の景品排出口まで運搬させることにより、ユーザに景品を獲得させる株式会社セガ・エンタープライゼスのＵＦＯキャッチャー（同社の登録商標）等のクレーンゲーム機が普及しており、このようなクレーンゲーム機に用いられる景品も略円柱状，球状等と種々のものが存在している。
この場合、種々の景品の形状等に合わせてクレーンゲーム機自体又はクレーンゲーム機内のアームを交換することは現実的には困難であるため、既存のアームで握持等が可能なような工夫がされていた。
このような工夫として、従来は、商品表示，値札等を係止する樹脂製の紐状の環状体を、景品自体又は景品包装体に取付けたままクレーンゲーム機内に陳列し、紐状の環状体にアームを引掛けさせるようにして、景品を獲得させること等が行われていた。
【考案の開示】
【考案が解決しようとする課題】
【０００３】
しかし、従来の構成では、環状体の内周が小さく、環状体にアームを引掛けさせることが比較的困難であるため、景品を獲得させ難いものとなり、遊戯意欲を減退させることとなっていた。
【０００４】
本発明は前記課題を解決するためのものであり、クレーンゲーム機のアームにより握持させることが困難な形状の景品についても、景品の獲得を容易なものとする景品の引掛補助具を提供することを目的とする。
【課題を解決するための手段】
【０００５】
前記課題を解決するため、本発明は、アームにより景品を握持するクレーンゲーム機に用いられる景品の引掛補助具であって、所定幅の環状又は帯状に形成された部材を、前記景品又は景品の包装体の上方でアーチを形成するように取付けたことを特徴とするものである。また、より具体的には、この所定幅の環状又は帯状の部材は、前記景品又は景品包装体の周囲を覆い且つ下面側で景品等に取り付けてその上方にアーチを形成したことを特徴としている。
【考案の効果】
【０００６】
本発明の景品の引掛補助具によれば、景品又は景品の包装体の上方でアーチを形成しているため、クレーンゲーム機のアームをこのアーチに引掛けて景品を吊り上げることが比較的簡単に行えるため、紐状の環状体に比し景品の獲得を容易なものとすることができる。
【考案を実施するための最良の形態】
【０００７】
以下、本発明の一実施の形態に係る景品の引掛補助具について、図面に基づき説明する。
図１は、本実施の形態に係る景品包装体を示す斜視図及び下面図である。
図１（ａ）に示すように、本実施の形態に係る景品の引掛補助具１は、上方においてアーチを形成するように、景品２の封入された透明のビニル樹脂製の包装体３に取付けられている。ここで、アーチを形成するとは、景品２又は包装体３と引掛補助具１との間に、アームの先端が差込可能な程度の隙間を形成することを示し、必ずしも円弧状等、所定の形状を形成することは必要とならない。
引掛補助具１は、例えば、ビニル樹脂等の樹脂材を、景品２の大きさ又はクレーンゲーム機のアームの大きさに合わせて、例えば３０ｍｍ等の所定幅で環状又は帯状に形成した部材で構成される。この引掛補助具１としては、景品２の封入されていない包装体３の一部を切取って利用することとしてもよい。
【０００８】
引掛補助具１の取付け方法としては、例えば、包装体３の長手方向の中央位置付近において、包装体３の周囲を覆うように配置した後、図１（ｂ）に示すように、下面３Ａ側に対し、環状の引掛補助具１Ａの一部又は帯状の引掛補助具１Ｂの両端部を粘着テープ４で固定する。この場合、引掛補助具の固定位置は、必ずしも下面３Ａ側に限られるものではないが、アームで持上げた際に引掛補助具１Ａ，１Ｂが外れることの無いようにするためには、下面３Ａ側に固定することが好ましい。
【０００９】
以上の構成により、例えば、クレーンゲーム機内に景品２を陳列する際に、余った包装体３の一部を切取って、図１に示すように包装体３の下面３Ａに粘着テープ４で取付けることにより、本実施の形態に係る引掛補助具１を構成することが可能となる。従って、予め引掛補助具１を用意しなくとも、クレーンゲーム機の設置場所で容易に調達することが可能となる。
包装体３に取付けた引掛補助具１は、包装体３の上方にアーチ（隙間）を形成するように、クレーンゲーム機内に陳列することにより、景品の獲得を容易なものとすることができる。この場合、アーチの高さを変えることにより、景品獲得の難易度を変更することが可能となる。
【００１０】
なお、前記実施の形態では、引掛補助具をビニル樹脂等の樹脂材で構成することとしているが、これに限られるものでは無く、紙製等、前述したアーチを形成することが可能で、且つアームを引掛けさせることにより、景品を吊上げることが可能となる材質のものであれば種々のものを利用することが可能である。
また、引掛補助具の取付け方法としては、粘着テープを用いたものに限らず、アームで吊上げた際に外れることがなければ、接着剤等、他の方法で取付けることとしてもよい。
また、引掛補助具を取付ける包装体としては、袋状のものに限らず、景品２を包装可能なものであれば、種々のものを用いることができる。また、引掛補助具は、包装体に取付けるものに限らず、景品自体に取付けるものでもよい。
【図面の簡単な説明】
【００１１】
【図１】本発明の一実施の形態に係る景品包装体を示す斜視図及び下面図である。
【符号の説明】
【００１２】
１    引掛補助具
２    景品
３    包装体
４    粘着テープ
【図１】
0003105703.tif 000003
(57)【要約】      （修正有）【課題】この考案は吸水後内包するポリマーが膨張する土のうであるが、内包の吸水ポリマーは湿気に敏感に反応し、固まる性質がある。このため従来ビニール袋に入れていたが、完全に防湿できない。また暗い所でも緊急時瞬時にわかり使用することができる土のうを提供するものである。【解決手段】内包の吸水ポリマー４が湿気で固まるのを防ぐため、土のう全体に真空パックを施す。また、停電時や地震の際など暗い所で電源がなくても、すぐ所在がわかるよう真空パックの表面及び外箱に、蓄光塗料つきのテープ３を貼ってすぐわかるようにする。【選択図】図１
0003105705.tif 000002
【実用新案登録請求の範囲】
【請求項１】
吸水式ポリマーを内包し、麻袋で包んだ土のう本体（１）を真空パック（２）してなる土のう。
【請求項２】
真空パックの表面の適宜箇所およびこの土のうを保管、運搬するための外箱にも蓄光塗料（３）を付してなる請求項１記載の土のう。
【考案の詳細な説明】
【技術分野】
【０００１】  本考案は吸水式ポリマーを内包する土のうを真空パックし、また真空パックの上及び外箱に蓄光塗料を施した土のうに関するものである。
【背景技術】
【０００２】  従来、空気中の湿気により吸水式ポリマーが固まるのを防ぐため、ビニール袋やポリプロピレンの袋に入れていたが、空気を完全に遮断することは不可能であった。
また、土のうの存在場所が暗い場所では容易に見つけることができなかった。蛍光塗料を施した場合には、光源（光のみなもと）となるものが必要であった。
【考案の開示】
【考案が解決しようとする課題】
【０００３】  麻袋の中に、吸水後膨張するポリマーを入れ膨張させ、緊急時に即応できる土のうを従来はビニール袋やポリプロピレンの袋に入れていた。
この吸水ポリマーは空気中の湿気を吸うと固まる性質がある。固まれば、水をかけても膨張せず、いざ使用しようとする際にもその機能を発揮できない。
また、停電、地震など緊急時、暗い場所では、浸水防止のため備蓄している土のうがどこにあるのか容易にわからない。これらの問題を解決して浸水防止に即応できる土のうを開発しようとするものである。
【課題を解決するための手段】
【０００４】  本考案は、従来ビニールやポリプロピレンの袋に、この吸水式ポリマーを内包した土のうを入れていたが、空気を完全に遮断することが不可能であり、日が経てば少しずつ中に入っているポリマーが固くなり、通常１年で固くなり、いざ緊急時に使用できなくなるケースが生じる。このため、空気を完全に遮断し、空気中の湿気を完全に防ぐ手段として土のう全体に真空パックを施す。
また、本考案は暗い場所でも土のうの置き場所が容易にわかるよう、吸水式ポリマーを内包する土のうの上から真空パックされているが、この真空パックの表面の適宜箇所及び外箱に蓄光塗料つきのテープを貼る。
以上の構成からなる土のうである。
【考案の効果】
【０００５】  本考案の真空パックすることにより、空気を完全に遮断し、湿気を完全に防ぎ、内包する吸水式ポリマーが固まることなく長期間品質保持が可能になる。また、これに
また本考案の、蓄光塗料つきのテープを真空パックされたどのう及び外箱に貼ることによって暗い場所で光源がなくても所在が容易にわかり、浸水防止に、緊急時に即応が可能になる。
さらに地下街やマンホール内、機械室内等の溜り水をポンプなどを使用せずに吸い取ることもでき水災害から守ることもできる。
【考案が実施するための最良の形態】
【０００６】  本考案の土のうじたい１．の内側に、吸水性ポリマーが、複数個設けられれいる。
この土のう本体１．の表面を真空パック２．によって包む
本考案は、内包するポリマーが吸水後極めて短時間（水温２１℃の場合、３〜４分で）膨張する土のうであるが、従来のビニール袋やポリプロピレンの袋では空気を完全に遮断し、湿気を防ぐことが不可能であるため、土のう全体を真空パック包装することによって内包のポリマーが固まるのを完全に防ぐことが可能になる。吸水性ポリマーは水溶性の紙で包まれている。尚、外袋は環境に配慮し通水性にすぐれた天然素材の黄麻を使用した麻袋５．である。
本考案品を所定場所に輸送したり、保管するため外箱７．が必要になる。実際に使用するに当り、保管するため空気中の湿気を遮断するべく真空パックされた土のうをダンボールの外箱７．に入れる。
実際使用する時には、外箱から真空パックにハサミ等で切って開け、土のう本体を取り出し、水をかけて膨張させ、浸水防止として緊急時に即応できる。
この麻袋は通水性に優れ、天然素材、植物であるため、土のうとして使用後乾燥させ処理する際、焼却しても有害物は一切出ず、また吸水性ポリマーは、紫外線によりポリアクリル酸ソーダに分解、風化するため環境に対して優しく、産業廃棄物としての処理も不必要となる。
また、本考案は真空パックの上から及び外箱７．に、蛍光塗料では電源が必要であるが、蓄光塗料は暗い所で電源がなくても光を放ち瞬時にその存在場所がわかり緊急浸水対応して非常時に使用することが可能になる。
【図面の簡単な説明】
【０００７】
【図１】土のう本体に真空パックをしてなる本考案品の斜視図
【図２】土のう本体に真空パックをしてなる本考案品の断面図  図１のＡ−Ａの断面図
【図３】外箱（ダンボール）の斜視図
【符号の説明】
【０００８】  １．吸水ポリマー内包の土のう（外袋は麻袋）
２．真空パックしてなる土のう
３．真空パックの上から蓄光塗料つきのテープを貼る
４．吸水後膨張するポリマー
５．土のうの外袋（麻袋）
６．外箱（ダンボール製）の上から蓄光塗料つきのテープを貼る
７．本考案の土のうを入れる外箱（ダンボール製）
【図１】
0003105705.tif 000003
【図２】
0003105705.tif 000004
【図３】
0003105705.tif 000005
(57)【要約】      （修正有）【課題】リールのスプールに巻きつけた釣り糸が解けないようにすると共に釣り竿の小径ガイドにも暗闇で釣り糸を簡単、迅速に挿入可能とする。【解決手段】針金で釣り糸の挿入部１と挟持部２を有する挟持具３を形成し、この挟持具にゴム紐５を取り付ける。ゴム紐の外面には蛍光材処理を施す。【選択図】図１
0003105706.tif 000002
【実用新案登録請求の範囲】
【請求項１】
釣り糸の挿入部と釣り糸の挟持部を有する挟持具に長尺の紐を定着したことを特徴とする釣り糸止め具兼釣り糸通し。
【請求項２】
前記長尺の紐は弾力性を有するゴム紐としたことを特徴とする請求項１記載の釣り糸止め具兼釣り糸通し。
【請求項３】
前記長尺の紐はその外面を蛍光材で仕上げたことを特徴とする請求項１又は請求項２記載の釣り糸止め具兼釣り糸通し。
【考案の詳細な説明】
【技術分野】
【０００１】  本考案は、釣り糸をリールのスプールに巻いた状態で釣り糸が解けないようにする釣り糸止め具として用い、また釣り糸を釣り竿に設けられたガイドに通す際には釣り糸通しとして用いる釣り糸止め具兼釣り糸通しに関する。
【背景技術】
【０００２】  リールのスプールに釣り糸を巻いた状態で該リールを持ち運ぶ際に、この釣り糸が解けないようにするためスプールバンドが用いられる。また、釣り竿のガイドに釣り糸を通す際には釣り糸通しが用いられる。【０００３】  釣り糸通しに関連する先行文献としては実用新案登録第３０１６６６８号公報があり、釣り竿のガイドに釣り糸を通すための器具が開示されている。【０００４】  上記先行文献に開示の釣り糸通しは全体がバネ材で構成されているので柔軟性がなく、仮にスプールに巻きつけた釣り糸に先端部を引っ掛けても、釣り糸が解けるのを防ぐことは出来ない。またリールケース内にこのリールを収納する場合に、当該釣り糸通しがケースに当って全体を収納出来なくなる。【０００５】  従って、釣り糸を巻いたリールと釣り糸通しの収納と運搬は別々にせざるを得ず、釣り場において再度両者を取り出して組み合わせなければならないので、作業が面倒で時間もかかるといった問題点がある。【０００６】  さらに釣り糸通しの後部が開脚してバネを形成しているので、内径が小さいガイドには挿入が困難で、これは暗い釣り場で一層難しくなるといった問題点もある。
【考案の開示】
【考案が解決しようとする課題】
【０００７】  解決しようとする問題点は、リールのスプールに巻いた釣り糸を解けないように運搬出来ず、釣り場で釣り糸を簡単且つ迅速にガイドに通すことができない点である。さらには暗闇において小口径のガイドに容易に釣り糸を通すことが出来ない点である。【０００８】  さらに本考案の他の目的は、容易に釣り糸をガイドに通すことのできる糸止め具兼釣り糸通しを提供することにある。
【課題を解決するための手段】
【０００９】  上記目的を達成するため本考案に係る糸止め具兼釣り糸通しは、ステンレルスティールの針金などによる釣り糸の挿入部１と釣り糸の挟持部２を有する挟持具３に、外周に蛍光材処理を施した長尺のゴム紐５を定着したことを特徴とする。
【考案の効果】
【００１０】  本考案の釣り糸止め具兼釣り糸通しは、リールのスプールに巻いた釣り糸をゴム紐によって解けないようにスプールに止めたまま共に携行できる上、釣り場ではそのまま釣り糸をガイドに通すことが出来る。また、暗闇においても蛍光材の発色によってガイドに釣り糸を通す作業を容易に行える利点がある。
【考案を実施するための最良の形態】
【００１１】  リールのスプールに巻いた釣り糸が解けないようにし、釣り場では容易に釣り糸を小径のガイドに通すという目的を、挟持具とゴム紐による簡単な構成で実現した。
【実施例１】
【００１２】  図１は、本考案に係る釣り糸通しの正面図で、挟持具３はステンレススティールの針金などを加工して略中央部に釣り糸を挿入するための挿入部１を有し、この挿入部１に続いてほとんど間隔がなく折り曲げられた２本の針金からなる挟持部２を有する。挟持具３の他端は円環４に形成され、この円環部４にゴム紐５が取り付けられている。この取り付けはナイロン糸６によるかがり止めしであるが、これに限定されることなく接着剤で固定するなどは任意である。【００１３】  図２は挟持具２の他の実施例を示し、釣り糸の挿入部１は針金を切り欠いて開口部としたものである。なお、挿入部１と円環部４との間の２本の針金は溶接等によって固着するのが望ましい。また、ゴム紐５の外周には蛍光材の処理が施されており、この処理はゴム紐５に蛍光材を直接吹き付けたり、あるいは蛍光性の繊維を巻きつけたりしたもので、この他の方法を任意に選択しても良い。【００１４】  図３は釣り糸７を挟持具３に固着させた状態の側面図を示し、前記の挿入部１に釣り糸７の先端部を挿入してから釣り糸７を挟持部２まで移動させると、釣り糸７は２本の針金間に挟持、固定される。【００１５】  図４はリールのスプール８に巻きつけた釣り糸７を本考案の釣り糸通しで定着した状態を示す正面図で、上述のようにして釣り糸７の端部を挟持部２で挟持してからゴム紐５を釣り糸７の外側に巻きつけ、該ゴム紐５の端部を既に巻いてあるゴム紐５の下からくぐらせて該ゴム紐５を定着することにより、釣り糸７がスプール８から解けないようにしている。【００１６】  図５は本考案の釣り糸通しを用いて釣り竿１０のガイド９に釣り糸７を通す状態を示す正面図で、上述のように釣り糸７端部は挟持部２に挟持されたままなので、ゴム紐５の締め付けをスプール８から開放して、そのままゴム紐５の先端を順次ガイド９、９に通していけば釣り糸７は容易且つ速やかにガイド９内に挿入される。
【産業上の利用可能性】
【００１７】  本考案の釣り糸止め具兼釣り糸通しは、リールのスプールに巻きつけた釣り糸が解けないようにすると共に、釣り場ではそのまま釣り糸通しを釣り竿のガイドに挿入していけるので操作が簡単となり多くの釣り人の利用が期待される。
【図面の簡単な説明】
【００１８】
【図１】本考案に係る釣り糸留め具兼釣り糸通しの正面図である。
【図２】本考案の他の実施例に係る釣り糸留め具兼釣り糸通しの拡大正面図である。
【図３】挟持部に釣り糸を挟持した状態を示す糸留め具兼釣り糸通しの拡大側面図である
【図４】リールのスプールに巻いた釣り糸を定着した状態の正面図である。
【図５】釣り竿のガイドに釣り糸を挿入している状態の正面図である。
【符号の説明】
【００１９】１  釣り糸の挿入部
２  釣り糸の挟持部
３  釣り糸の挟持具
４  挟持具の円環部
５  ゴム紐
６  ナイロン糸
７  釣り糸
８  リールのスプール
９  釣り竿のガイド
１０  釣り竿
【図１】
0003105706.tif 000003
【図２】
0003105706.tif 000004
【図３】
0003105706.tif 000005
【図４】
0003105706.tif 000006
【図５】
0003105706.tif 000007
(57)【要約】【課題】  手間・費用をかけず、手軽に持ち運びの出来る、アウトドアで蚊を寄せ付けないもの提供する。【解決手段】  防蚊加工を繊維生地に施し、敷物を作る。人やペットがその敷物を使用した場合は蚊が寄って来ず、安全・快適に生活出来る。その上、その敷物には袋部分があり、その袋の中に柔らかい衣類やクッション等を入れることにより、枕替わりとなり、快適に仮眠も出来る。袋の口にはファスナーが取り付けてあるので内容物がはみ出すこともない。【選択図】  図１
0003105707.tif 000002
【実用新案登録請求の範囲】
【請求項１】
繊維生地にトルアミド系複合化合物を塗布することによる防蚊加工を施した敷物の一部分に袋部分を構成し、その袋の中に柔らかい衣類やクッション等を入れることによりまくら替わりにもなる、主としてアウトドアに利用する敷物。
【考案の詳細な説明】
【考案の詳細な説明】
【技術分野】
【０００１】  本考案は、アウトドア用に用いる防蚊機能等を持つ敷物に関する。
【背景技術】
【０００２】  従来、蚊から人を守るための手段としては、蚊帳、蚊取り線香、虫除けスプレー等があり、それがほとんどだった。
【考案が解決しようとする課題】
【０００３】  アウトドアでは、蚊から身を守るため、蚊取り線香、虫除けスプレー等を使用するケースが多いが、風の影響で効果が半減したり、長期の対応には不向きな点が多い。また安全性にも疑問がある。特に一定期間座ったり、寝転んだりする機会の多いフィッシングやキャンプ等では従来の方法では手間取るケースが多々見受けられる。また、就寝中でも、安心して長時間かつ安全な蚊よけ対策が要求される。従って、下に敷くだけで防蚊効果のある物が必要となる。
【課題を解決するための手段】
【０００４】  上記の課題を解決する為に、防蚊加工剤を繊維生地に施し、敷物を作る。人がその敷物の上でいる場合には蚊が寄りにくく、安全・快適で過ごせるようにする。さらにその敷物は、持ち運びの便利さと対洗濯性に優れておるものが良い。
【考案を実施するための最良の形態】
【０００５】  以下、図面を用いながら、本考案の構成を詳細に説明する。【０００６】  本考案は、大きく分けて、繊維生地本体（１）と袋部（２）、ヘム部（３）ファスナー部（４）に分けられ、繊維生地本体（１）に防蚊加工を施しており、アウトドアスポーツ時の休憩・睡眠時、クッション・まくら等に使用する時に蚊から身を守る事を特徴とする。【０００７】  上記の繊維生地を構成する繊維に特に限定はないが、持ち運びの便利さと、耐久性に優れた素材が好ましい。【０００８】  上記の繊維生地自体は、公知の任意の方法によって製造されたものでよく、例えば、綿やウール等の天然繊維、ポリエステル、アクリル等化学合成繊維類を用い、織物やニット、不織布等の原反に染料を用いてプリントや無地染め等の染色加工を施した後、さらに後程説明する防蚊加工を施して仕上げた布地とする。【０００９】  本考案の繊維生地に施すプリントの柄や、無地染めの色は特に制限しないが、レジャー向きの明るく、かわいい柄が好ましい。【００１０】  繊維生地に加工する防蚊加工剤は、蚊に対する忌避効果のある薬品で、外観は乳白色の液体で水に分散する溶解性を持っているものである。薬品の成分はトルアミド系複合化合物で、対洗濯性を持たせる為、特殊アクリル樹脂を加える。風合を良くする場合は特殊ウレタン樹脂を使うこともある。【００１１】  上記の加工剤を用いて加工するが、まずトルアミド系複合化合物を５．０〜８．０％水に分散し、次に、特殊アクリル樹脂を５．０〜８．０％加えて、攪拌する。【００１３】  次に、繊維生地を水に溶かした上記加工剤に含浸させた後、マングルにより絞るパディング法で処理する。【００１４】  そしてその後熱セット処理としてキュアリング（１３０℃×３〜５分）する。キュアリングをすることによって、対洗濯性が良くなる。【００１５】  防蚊加工を施した繊維生地本体（１）の四方をヘム（３）で縁を付け、縫製加工し、目的のサイズの敷物に仕上げる。【００１６】  最終製品のサイズや形状は特に制限しないが、用途やニーズに合わせる。【００１７】  上記の敷物の一部に袋部分を作り、一辺の口を開け、内容物が外に出ないように、その口にファスナーを付け、口を開閉出切る様にする。【００１８】  その口の中に、衣類もしくはクッション等（５）を詰めることが出来、まくらとすることが出来る。その断面図が図２である。
【考案の効果】
本考案のアウトドア用防蚊敷物は、座具・寝具として使用した際に、忌避作用により、蚊が寄ってくるのを手軽に避けることが出来、安全でかつ快適にアウトドアスポーツを楽しめる利便商品として考案作成したものである。
【図面の簡単な説明】
【図１】本考案のアウトドア用防蚊敷物の全体図である。
【図２】本考案のペット用防蚊敷物の断面図である。
【符号の説明】
１…繊維生地
２…袋部
３…縁飾り部
４…ファスナー部
５…衣類もしくはクッション等
【図１】
0003105707.tif 000003
【図２】
0003105707.tif 000004
(57)【要約】【課題】ノート型パソコンのキーボードの小ささと操作性の悪さ。ノート型パソコンにおいて、持ち運びの便利さがあるものの、キーボードが小さく、使用しにくい面がある。そこでデスクトップ型のキーボードをノート型パソコンにつなぎ、それを操作する事により、ノート型パソコンをデスクトップ型パソコンのように操作出来るようにする事を目的としたパソコンラックである。【解決手段】デスクトップ型パソコンのキーボードをノート型パソコン本体につなぎ、それを操作する。そのために、パソコンラックにデスクトップ型キーボードを置くキーボード専用置き板を設置する。キーボード専用置き板の両側には前後にスライドする可動レールが取り付けられており、収納時には前部に、使用時には引き出して任意の位置で固定し、使用する。ノート型パソコン本体は、収納時には、ラックの下部に画面を畳んで置いてあり、使用時には、キーボード専用置き板を引き、画面を開いて使用する。尚、キーボード専用置き板には脚が４本有り、通常は可動レールに固定されているが、着脱可能で、単体としてノート型パソコンに使用できる。【選択図】図１
0003105704.tif 000002
【実用新案登録請求の範囲】
【請求項１】
デスクトップ型キーボート専用置き板と前記置き板を設置する任意の位置で固定できる可動レールを有し、前記置き板の下部にノート型パソコンを収納するための幅３０ｃｍ〜５０ｃｍ高さ３ｃｍ〜８ｃｍの空間を有する事を特徴とするパソコンラック。
【請求項２】
デスクトップ型キーボード専用置き板が着脱し、他のノート型パソコンの前記置き板として単体で使用出来る事を特徴とするパソコンラック。
【考案の詳細な説明】
【技術分野】
【０００１】パソコンラック
【背景技術】
【０００２】パソコンラック
【考案の開示】
【考案が解決しようとする課題】ノート型パソコンのキーボードの小ささと操作性の悪さ。
ノート型パソコンにおいて、持ち運びの便利さがあるものの、キーボードが小さく、使用しにくい面がある。そこでデスクトップ型のキーボードをノート型パソコンにつなぎ、それを操作する事により、ノート型パソコンをデスクトップ型パソコンのように操作出来るようにする事を目的としたパソコンラックである。
【課題を解決するための手段】デスクトップ型パソコンのキーボードをノート型パソコン本体につなぎ、それを操作する。
そのために、パソコンラックにデスクトップ型キーボードを置くデスクトップ型キーボード専用置き板を設置する。前記置き板の両側には前後にスライドする可動レールが取り付けられており、収納時には前部に、使用時には引き出して任意の位置で固定し、使用する。
ノート型パソコン本体は、収納時には、ラックの下部に画面を畳んで置いてあり、使用時には、前記置き板を引き、パソコン画面を開いて使用する。
尚、デスクトップ型キーボード専用置き板には脚が４本有り、通常は可動レールに固定されているが、着脱可能で、単体としてノート型パソコンに使用できる。
【考案の効果】
【ノート型パソコンをデスクトップ型パソコンの感覚で操作できる】
【考案を実施するための最良の形態】
【キーボート専用置き板の位置を、使用者の操作しやすい位置にセットする】
【実施例】
【パソコンラックのキーボード専用置き板の下部にノート型パソコンが設置される。】
【産業上の利用可能性】
【家庭や事務室で普通に使用することができる。】
【図面の簡単な説明】
【図１】全体斜図  パソコンラックの下にノート型パソコンが開いた状態で置いてあり、使用中の状態になっている。１のデスクトップ型キーボード専用置き板にはデスクトップ型のキーボードが置かれるが見づらくなるので省略した。３の可動レールは左右各１本づつ取り付けてあり、右側に付いている２の可動レール止めネジによって任意の位置に固定される。
【図２】断面図  可動レールの断面図である。３の部分は固定され４の部分が可動する。４の可動部分に５のゴム状のものを貼り付けてあり、２の可動レール止めネジを絞めることにより任意の位置で固定される。
【図３】正面図  １がデスクトップ型キーボート専用置き板、２が可動レール止めネジ、３が可動レール、６が金属パイプ、７が天板、８がゴム足。
【図４】左側面図  左横から見た状態、収納時。  畳んだノートパソコンの上にデスクトップ型キーボード置き板があり、デスクトップ型キーボードが乗った状態。
【図５】左側面図  左横から見た状態、使用時。  開いたノートパソコンの上にデスクトップ型キーボード置き板があり、デスクトップ型キーボードが乗った状態。
【図６】正面図  デスクトップ型キーボート専用置き板をパソコンラックより外し、単体としてノート型パソコンのキーボード上にセットして使用した状態。デスクトップ型キーボードは見づらいので省略した。
【符号の説明】
【１デスクトップ型キーボード専用置き板、２可動レール止めネジ、３可動レールの固定部分、４可動レールの可動部分、５可動レールの可動部に貼り付けられたゴム状の物、６金属パイプ、７天板、８ゴム足、９ノート型パソコン、１０ノート型パソコンの画面、１１デスクトップ型パソコンのキーボード】
【図１】
0003105704.tif 000003
【図２】
0003105704.tif 000004
【図３】
0003105704.tif 000005
【図４】
0003105704.tif 000006
【図５】
0003105704.tif 000007
【図６】
0003105704.tif 000008
(57)【要約】【課題】  入浴時浴槽の中に入れると、マグネシウムが徐々に湯に溶け出し、肌と体に良い入浴に使用するマグネシウムを内包した袋を提供する。【解決手段】  マグネシウムの小さな薄片を多数布袋の中に入れ上部を紐で結ぶ。これを浴槽に入れると、水道水に含まれる消毒用塩素（カルキ）を中和し、普通の水道水を用いた際に起こる肌の老化、カサカサ肌、肌あれを防止する。又、皮膚を刺激し、血行をよくし、新陳代謝を活発にし、皮膚を活性化する。古くなった角質も取り、肌はつるつるとなり、保湿効果も増し、健康に非常に良い。又、マグネシウムは、１つ１つは薄く、小さく、連続使用で３ヶ月は保つ。又、マグネシウム純度は約９２％である。【選択図】  図１
0003105710.tif 000002
【実用新案登録請求の範囲】
【請求項１】
マグネシウム薄片を多数、布袋に入れ、その布袋の上部を紐で締めた、入浴に使用するマグネシウムを内包した袋。
【考案の詳細な説明】
【技術分野】
【０００１】
本考案は、入浴に使用するマグネシウムを内包した袋に関する。
【背景技術】
【０００２】
一番風呂のピリピリと刺す様な不快感の原因は、水道水に含まれる消毒用塩素（カルキ）である。これは肌の老化、酸化を促進させ、カサカサ肌や肌あれの原因となる。これに対する適切な解決法が無い。
【特許文献１】特記すべき先行文献なし。
【非特許文献１】各社のパンフレット等あるが、本考案より優るものは無い。
【考案の開示】
【考案が解決しようとする課題】
【０００３】
本考案は、肌と体に良い入浴時使用するマグネシウムを提供する。
【課題を解決するための手段】
【０００４】
本考案は、マグネシウム薄片を多数、布袋に入れ、その布袋の上部を紐で締めた、入浴に使用するマグネシウムを内包した袋である。
【考案の効果】
【０００５】
湯の中に袋を入れるだけで、袋の中のマグネシウムが湯に溶けて、塩素を中和し、肌にやさしいお湯に変える。溶け出したマグネシウムが皮膚を刺激して血行を良くし、新陳代謝を活発にし、皮膚を活性化する。古くなった角質が汗と共に排出するので、肌はつるつるになり、保湿効果も持続する。“にがり”を入れた“にがり風呂”よりも高い効果が得られる。又、体を芯から温めると共に水も活性化するので浴槽のぬめり発生を防止し、お風呂の掃除が楽になる。
【考案を実施するための最良の形態】
【０００６】
マグネシウム薄片１を多数布袋２の中に入れ、巾着状に上部を紐３で締める。マグネシウム薄片は純度約９２％である。
【０００７】
そのマグネシウム薄片は、除々にお湯に溶ける。この袋をお湯の中に入れると、３０分、１時間、２時間と徐々に湯にとけ、３０分では５．０ｍｇ／Ｌ、１時間では５．３ｍｇ／Ｌ、２時間では、５．７ｍｇ／Ｌと、溶度が段々高まる。
【０００８】
毎日これを連続的に使って徐々に消耗し３ヶ月位は使える。
【産業上の利用可能性】
【０００９】
低コストで、高い効果のあるものであり、広く一般に利用される可能性が大である。
【図面の簡単な説明】
【００１０】
【図１】断面図である。
【図２】マグネシウム薄片の一例の正面図である。
【符号の説明】
【００１１】
１  マグネシウム薄片
２  布袋
３  紐
【図１】
0003105710.tif 000003
【図２】
0003105710.tif 000004
(57)【要約】【課題】ｎ型半導体を用いた、皮膚貼付型治療シートを提供すること。【解決手段】粘着性基材の一部にｎ型のゲルマニウム粉末を付着させてなる皮膚貼付型治療シート。本考案の皮膚貼付型治療シートはｎ型半導体であるゲルマニウム粉末を用いているにもかかわらず、筋肉痛や凝りに治療に効果がある。また、シート状であるために、貼付しやすく使い勝手が良い、商品のパックがし易い、携行や保管が容易である等の特徴を有する。  粘着性基材シート１は布やプラスチックシートに粘着剤を塗布したもので、絆創膏として用いられているようなものを用いることができる。ｎ型のゲルマニウム粉末は粒径が６０メッシュパスのものが好ましい。【選択図】図１
0003105785.tif 000002
【実用新案登録請求の範囲】
【請求項１】
粘着剤性基材の一部にｎ型のゲルマニウム粉末を付着させてなる皮膚貼付型治療シート。
【考案の詳細な説明】
【技術分野】
【０００１】
本考案は絆創膏のように皮膚に貼り付けて肩凝りや筋肉痛の改善や治療に用いる皮膚貼付型治療シートに関する。
【背景技術】
【０００２】
シリコンやゲルマニウム等の半導体を利用して筋肉痛や凝りの治療を行うことは知られている。従来、このような治療に効果がある半導体としてはｐ型半導体で、ｎ型半導体は治療には不向きであるとされていた（特許文献１）。また、このような治療具として実用化されているのは、円錐、円筒、半球等の立体的な形状のもので、皮膚に貼って用いるには必ずしも便利とは言い難いものであった。
【特許文献１】特開平５−３３７１９２号公報
【考案の開示】
【考案が解決しようとする課題】
【０００３】
本考案の目的は、ｎ型半導体を用いた、皮膚貼付型治療シートを提供することである。
【課題を解決するための手段】
【０００４】
本考案者は、半導体としてｎ型のゲルマニウム粉末を用いることにより、上記目的を達成することができることを見出し、本考案を完成した。
即ち、本考案は、粘着性基材の一部にｎ型のゲルマニウム粉末を付着させてなる皮膚貼付型治療シートである。
【考案の効果】
【０００５】
本考案の皮膚貼付型治療シートはｎ型半導体であるゲルマニウム粉末を用いているにもかかわらず、筋肉痛や凝りの治療に効果がある。また、シート状であるために、貼付しやすく使い勝手が良い、商品のパックがし易い、携行や保管が容易である等の特徴を有する。
【考案を実施するための最良の形態】
【０００６】
図１は本考案の皮膚貼付型治療シートを表した図であり、１は粘着性基材シート、２はｎ型ゲルマニウム粉末である。図２は剥離紙に本考案の皮膚貼付型治療シートを貼り付けた状態を粘着性基材シート側から見た図、図３は同じくゲルマニウム粉末側から見た図である。
粘着性基材シート１は布やプラスチックシートに粘着剤を塗布したものである。代表的には、従来絆創膏として用いられているようなものを用いることができる。
ｎ型のゲルマニウム粉末は粒径が６０メッシュパスのものが好ましい。このようなｎ型のゲルマニウム粉末は、ゲルマニウムの結晶にｎ型のドーパントをドープして、ｎ型のゲルマニウム結晶とし、これを通常の手段、例えば粉砕機で上記の粒度まで粉砕することにより得ることができる。
【０００７】
本考案の皮膚貼付型治療シートは、上記粘着性の基材シートに上記ｎ型ゲルマニウム粉末を付着させることにより製造できる。一般的には、粘着性基材シート１のほぼ中央にｎ型ゲルマニウム粉末２を付着させる。簡単な製造方法を例示すると次のとおりである。剥離紙３にゲルマニウム粉末を付着させるための孔をあけ、剥離紙の剥離面側に、使用状態の形状、例えば円形とした粘着性基材シートを孔がほぼ中央となるように貼り、反対側から粉末のｎ型ゲルマニウム粉末を散布し、孔から露出している基材シートの粘着面に付着させる。剥離シートがマスキングとなり孔の形状にゲルマニウム粉末が付着する。付着しないゲルマニウム粉末を払い落とすと、剥離紙に貼り付けられた皮膚貼付型治療シートが得られ、そのまま商品形態となる。使用時は剥離紙から剥離する。
【産業上の利用可能性】
【０００８】
本考案の皮膚貼付型治療シートは絆創膏のように皮膚に貼り付けて肩凝りや筋肉痛の改善や治療に有用である。
【図面の簡単な説明】
【０００９】
【図１】本考案の皮膚貼付型治療シートを表した図である。
【図２】剥離紙に本考案の皮膚貼付型治療シートを貼り付けた状態を粘着性基材シート側から見た図である。
【図３】剥離紙に本考案の皮膚貼付型治療シートを貼り付けた状態をゲルマニウム粉末側から見た図である。
【符号の説明】
【００１０】
１    粘着性基材シート
２    ｎ型ゲルマニウム粉末
３    剥離紙
【図１】
0003105785.tif 000003
【図２】
0003105785.tif 000004
【図３】
0003105785.tif 000005